(57)【特許請求の範囲】
【請求項１】
空気を加熱する熱源器と、浴室から空気を吸い込んで熱源器を通過させた後に浴室に戻す暖房ファンと、浴室に戻る空気中にオゾンを発生させるオゾン発生器と、浴室の扉が開放されているか閉止されているかを検知する扉センサと、扉センサとオゾン発生器に接続された状態で浴室外に設置されているとともにオゾン発生器の運転を開始するために操作するボタンを備えているコントローラを備えており、
前記コントローラは、扉センサが扉の開放を検知している状態で前記ボタンが操作されてもオゾン発生器の運転を開始せず、扉センサが扉の閉止を検知している状態で前記ボタンが操作されたときにオゾン発生器の運転を開始し、オゾン発生器が運転している状態で扉センサが扉の開放を検知した場合はオゾン発生器の運転を停止することを特徴とする浴室用空調機。
【請求項２】
浴室内空気を浴室外に排気する換気ファンを付設し、オゾン発生器が運転している状態で扉センサが扉の開放を検知した場合に換気ファンを作動させる処理をコントローラに付加したことを特徴とする請求項１に記載の浴室用空調機。
【請求項３】
換気ファンが所定時間作動後、扉センサが扉の閉止を検知している状態である場合にオゾン発生器を再作動させる処理をコントローラに付加したことを特徴とする請求項２に記載の浴室用空調機。
【発明の詳細な説明】
【０００１】
【発明の属する技術分野】
本発明は、浴室用空調機に関するものである。特にオゾン発生器を備えた浴室用空調機に関するものである。
【０００２】
【従来の技術】
浴室用空調機にオゾン発生器を組み込む技術が、特開平１１―１４１１６号公報に記載されている。浴室用空調機がオゾン発生器を備えていると、浴室に吹き出される空調空気中に含まれるオゾンによって浴室の殺菌や脱臭をすることができる。浴室内で衣類を乾燥している場合には衣類の殺菌や脱臭や漂白を行なうことができる（以下においては、殺菌や脱臭や漂白等をまとめて殺菌と言う）。
浴室内のオゾン濃度を高めた方が浴室を効果的に殺菌できる。一方において、高濃度のオゾンは人体に健康上の悪影響をおよぼすことが知られている。また、オゾンは自然に分解してしまうし、従来のオゾン発生器のオゾン発生効率は低い。従って、従来のオゾン発生器付きの浴室用空調機の場合には浴室内のオゾン濃度が人体に健康上の悪影響をおよぼす程の高濃度となることに対して何ら対策を行っていない。例えば、新幹線トイレに設置されているオゾン発生器も連続運転され、オゾン濃度が高くなりすぎることに対策は講じられていない。
【０００３】
【発明が解決しようとする課題】
しかしながら、浴室用空調機でオゾンを発生させて浴室の殺菌を実施している場合には、浴室の気密性が高く、また、扉の開閉が殆どないこともあって、浴室内のオゾン濃度が高くなりすぎることがある。そこで、オゾンで殺菌しているのを失念するか、あるいは知らないで浴室に入室してしまうことに対して対策を講じる必要がある。
【０００４】
本発明は、かかる問題を解決するためになされたものであり、オゾンを利用する殺菌を安全に行なうことができる浴室用空調機を提供することを課題とする。
【０００５】
【課題を解決するための手段および作用と効果】
請求項１に記載の浴室用空調機は、空気を加熱する熱源器と、浴室から空気を吸い込んで熱源器を通過させた後に浴室に戻す暖房ファンと、浴室に戻る空気中にオゾンを発生させるオゾン発生器と、浴室の扉が開放されているか閉止されているかを検知する扉センサと、扉センサとオゾン発生器に接続された状態で浴室外に設置されているとともにオゾン発生器の運転を開始するために操作するボタンを備えているコントローラを備えている。
コントローラは、扉センサが扉の開放を検知している状態でボタンが操作されてもオゾン発生器の運転を開始せず、扉センサが扉の閉止を検知している状態でボタンが操作されたときにオゾン発生器の運転を開始し、オゾン発生器が運転している状態で扉センサが扉の開放を検知した場合はオゾン発生器の運転を停止する。
上記の浴室用空調機は、浴室の扉が閉まっている状態で浴室外に設置されているボタンが操作されたときにのみオゾン発生器が作動を開始し、扉が開けられればオゾン発生器が停止される。このため、オゾン発生器が作動している状態で浴室に人が入室するために扉を開けると、オゾン発生器が停止される。また、操作ボタンが浴室外に備えられているため、浴室に人が入ったままの状態でオゾン発生器を誤って作動させることが防止される。このようにして浴室に人がいる場合にはオゾンの発生が停止されるので、殺菌用のオゾンが人体に健康上の悪影響を与えることが防止される。なお、オゾンを含む浴室に戻る空気とは、浴室暖房用に加熱された空気に限られるものではなく、加熱されていない常温空気あるいは冷却された空気であってもよい。
【００１２】
請求項１の浴室用空調機において、浴室内空気を浴室外に排気する換気ファンを付設し、オゾン発生器が運転している状態で扉センサが扉の開放を検知した場合に換気ファンを作動させる処理をコントローラに付加することが好ましい。
上記の浴室用空調機は、オゾン発生器が作動している状態で浴室に人が入室するために扉を開けると、換気ファンが作動してオゾンを含んだ空気が浴室外へ排気される。このため、浴室のオゾン濃度を急速に低下させることができ、オゾンが人体に健康上の悪影響を与えることがより防止される。
【００１４】
請求項２に記載の浴室用空調機において、換気ファンが所定時間作動後、扉センサが扉の閉止を検知している状態である場合にオゾン発生器を再作動させる処理をコントローラに付加することが好ましい。
上記の浴室用空調機は、換気ファンが所定時間作動後、扉センサが扉の閉止を検知している状態である場合にオゾン発生器が再作動される。すなわち、換気ファンが所定時間作動して、浴室のオゾンが浴室外に排出された後、扉センサが扉の閉止を検知している状態である場合には、オゾン発生器が再作動される。このため、浴室が効率的に殺菌される。
【００１５】
【発明の実施の形態】
（第１実施形態）  本発明を浴室用空調機の一種である暖房機に適用した第１実施形態について、図面を参照しながら説明する。最初に、暖房機１０およびその周辺装置の構成と動作を簡単に説明する。
図１に示されているように、暖房機１０は浴室１２の天井１４に設置される。浴室１２の内部には、入浴のためのバスタブ１６や、衣類１７を掛けるためのパイプ１８が設けられている。屋外に設置されている給湯器２２は、ガスの燃焼熱で水を加熱して温水とする。この温水は、給湯器２２に内蔵されているポンプ（図示省略）によって加圧され、供給配管２３を通って暖房機１０に送られる。暖房機１０は、浴室１２から吸い込んだ空気を給湯器２２から送られてきた温水で加熱して温風とし、浴室１２に戻す。浴室１２に戻された温風によって浴室１２は暖房、乾燥される。暖房機１０で空気を加熱したために温度が低下した温水は、戻り配管２４を通って給湯器２２に戻される。給湯器２２に戻された温水は、再び加熱されて暖房機１０に送られる。すなわち、温水は、給湯器２２と暖房機１０との間を循環する。また、暖房機１０は、浴室１２の空気を吸い込み、換気ダクト２８を通して屋外へ排気する機能を有している。
【００１６】
浴室の扉１２ａの横の壁面に、リモコン２７が取り付けられている。リモコン２７は、使用者が操作して暖房機１０に指示信号を出力する操作端末であるとともに、暖房機１０の運転状態を表示する機能も有している。リモコン２７と暖房機１０に内蔵されているコントローラ３８（後述する）との間は信号線２９によって結ばれている。また、コントローラ３８と給湯器２２との間は信号線２５によって結ばれている。暖房機１０のコントローラ３８と給湯器２２は、相互の運転状況を信号線２５を介して伝達し、給湯器２２は暖房機１０の運転状態に合わせて適切に運転される。なお、図示は省略しているが、暖房機１０や給湯器２２には、これらを駆動するための電力がブレーカや電気配線を経由して外部から供給されている。
【００１７】
暖房機１０の構成について、図２を参照しながら説明する。暖房機１０は、暖房ファン３２、熱交換器３４、換気ファン３６、コントローラ３８、オゾン発生器４４、人物検知センサ４２等を内蔵している。暖房機１０の下面に、空気吸い込み口４３と空気吹き出し口４６が開口している。空気吸い込み口４３と空気吹き出し口４６には、それぞれに複数の板状のフィンが並んだルーバー（４３ａ、４６ａ）が設けられている。空気吸い込み口４３のルーバ４３ａは固定されているが、空気吹き出し口４６のルーバー４６ａは、リモコン２７からの操作によって図示しない機構に駆動されてその方向が変化する。ルーバー４６ａの方向が変化すると、空気吹き出し口４６から吹き出される空気の方向が変わり、浴室１２のさまざまな場所に空気が吹き出される。
【００１８】
熱交換器３４は、空気流路と温水流路を備えており、空気と温水との間で熱交換を行う機能を有している。給湯器２２から供給配管２３を通って送られてきた温水は、熱交換器３４の温水流路を通過する。暖房機１０の内部には、矢印４７で示されているように空気吸い込み口４３から熱交換器３４の空気流路、暖房ファン３２、空気吹き出し口４６までを連通する空気流路が形成されている。熱交換器３４の空気流路を通過する空気は、温水流路を通過する温水に加熱されて温風となる。暖房ファン３２は、電動モータ３２ａによって回転駆動され、空気吹き出し口４６の方向に空気を送風する。また、矢印４８で示されているように、空気吸い込み口４３から換気ファン３６、換気ダクト２８を経て屋外までを連通する空気流路が形成されている。換気ファン３６は、電動モータ３６ａに回転駆動され、換気ダクト２８の方向に空気を送風する。
【００１９】
オゾン発生器４４は、暖房ファン３２と空気吹き出し口４６との間に設けられている。オゾン発生器４４は、対向して配置された電極板間に高電圧を印加して放電を起こし、電極板間の空気からオゾンを発生させる。
人物検知センサ４２は、暖房機１０の下面に装着されている。人物検知センサ４２は、種々のタイプのものが知られているが、例えば、ＣＣＤ（複数の受光素子が光を受けて反応することにより、検知対象領域を画像として認識するセンサ）が認識する画像の動きや、人物が放出する赤外線を人物の存在として検知し、これを電気信号として出力する。
コントローラ３８は、ＣＰＵ、ＲＡＭ、ＲＯＭ、入力処理回路、出力処理回路等から構成されており、入力信号を所定のプログラムに従って処理し、制御信号として出力する。このコントローラ３８には、信号線５２を経由して人物検知センサ４２からの検知信号、および信号線２９を経由してリモコン２７からの指示信号が入力される。コントローラ３８からは、暖房ファン３２、換気ファン３６、オゾン発生器４４に対して制御信号が出力されるとともに、リモコン２７へは暖房機１０の運転状態信号が出力される（コントローラ３８と暖房ファン３２、コントローラ３８と換気ファン３６との間の信号線は、図示を省略している）。
【００２０】
暖房機１０は、「暖房」、「乾燥」、「換気」、「殺菌」の各運転モードで運転される。以下、これらの運転モードでの暖房機１０の運転動作について図２を参照しながら説明する。
（暖房モード）  熱交換器３４に温水が供給され、暖房ファン３２が作動する。暖房ファン３２が作動すると、空気吸い込み口４３から浴室１２の空気が吸い込まれ、熱交換器３４の空気流路を通過する。熱交換器３４の空気流路を通過する空気は、給湯器２２から供給されて温水流路を通過している温水に加熱されて温風となる。熱交換器３４に加熱されて温風となった空気は、空気吹き出し口４６から浴室１２に戻され、浴室１２を暖房する。浴室１２が暖房されていると、冬季のように気温が低い状態であっても、入浴者は快適に入浴することができる。
【００２１】
（乾燥モード）  本運転モードは、浴室１２や、浴室１２に収容された衣類１７を乾燥するために用いられる。この乾燥モードでは、上述した暖房モードでの熱交換器３４と暖房ファン３２の作動に加えて、換気ファン３６が作動する。換気ファン３６が作動すると、空気吸い込み口４３から浴室１２の空気が吸い込まれ、換気ダクト２８を経由して屋外に排気される。換気ファン３６の作動によって浴室１２の空気が屋外に排気されると、浴室１２に湿気がこもることがない。このため、浴室１２内は高温、かつ低湿度の状態となり、浴室１２や衣類１７が乾燥される。
【００２２】
（換気モード）  換気ファン３６のみが作動する。換気ファン３６が作動すると、浴室１２内の空気が屋外に排気され、浴室１２の換気が行われる。浴室１２が換気されると、浴室１２内に湿気がこもることが防止される。換気モードでの暖房機１０の運転は、浴室１２内の湿度が高くなっている入浴後に行うことが効果的である。
【００２３】
（殺菌モード）  熱交換器３４に温水が供給されない状態で、暖房ファン３２とオゾン発生器４４が作動する。オゾン発生器４４が作動すると、暖房ファン３２が送風する空気中にオゾンが発生される。このため、オゾンを含んだ空気が空気吹き出し口４６から浴室１２に吹き出される。オゾンを含んだ空気が浴室１２に吹き出されると、浴室１２の殺菌（浴室１２の殺菌や脱臭、衣類１７の殺菌や脱臭や漂白）が行われる。
暖房機１０が殺菌モードで運転中に、人物検知センサ４２が浴室１２内に人物の存在を検知すると、コントローラ３８からの制御信号によってオゾン発生器４４の作動は停止され、同時に換気ファン３６が作動する。また、リモコン２７に設けられているブザー７６から警報音が発せられる（ブザー７６については後述する）。よって、浴室１２内の空気中のオゾン濃度は急速に低下するとともに、ブザー７６からの警報音によって人物は浴室１２にオゾンが発生されていたことを認識し、浴室１２から退室する。また、浴室１２に人物が入室している状態で、暖房機１０を殺菌モードで運転しようとしても、人物検知センサ４２が人物の存在を検知するので、暖房機１０は運転を開始しない。このようにして、暖房機１０が浴室１２に吹き出すオゾンが人体に健康上の悪影響を与えることが防止され、オゾンを利用する殺菌を安全に行うことができる。なお、人物検知センサ４２が人物の存在を検知してオゾン発生器４４の停止と換気ファン３６の作動が行われてから所定時間経過後（例えば、１０分間）、人物検知センサ４２が人物の存在を検知しない場合には、オゾン発生器４４を再作動させてもよい。
また、上述した換気ファン３６の作動において、その作動時間は、浴室１２の容積やオゾン濃度に応じて設定できるようにしてもよい。このように構成することにより、換気ファン１２を不要に作動させるという無駄が防止できる。
【００２４】
リモコン２７の構成と動作について説明する。矩形板状の外形に形成されているリモコン２７は、図３に示されているように、その上半分に液晶画面６２が装着されている。リモコン２７の下半分には、使用者が押して操作する、暖房ボタン６６、乾燥ボタン６７、換気ボタン６８、左殺菌ボタン６３、右殺菌ボタン６４、タイマーボタン７２、プラスボタン７３、マイナスボタン７４が配置されている。またリモコン２７の左下には、警報音を発するブザー７６が設けられている。
【００２５】
暖房ボタン６６、乾燥ボタン６７、換気ボタン６８は、それぞれが押されると、暖房機１０が暖房モード、乾燥モード、換気モードで運転される。左殺菌ボタン６３、右殺菌ボタン６４が同時に押されると、暖房機１０が殺菌モードで運転される。これらのボタンが押されて、暖房、乾燥、換気、殺菌の各モードで暖房機１０が運転されると、液晶画面６２の左側に設けられている、暖房６２ａ、乾燥６２ｂ、換気６２ｃ、殺菌６２ｄの各表示が明るく表示され、その運転モードで暖房機１０が運転されていることを使用者に認識させる。
プラスボタン７３とマイナスボタン７４は、暖房機１０の運転時間であるタイマー時間の設定値を増減するためのボタンである。タイマーボタン７２は、設定されたタイマー時間を決定するために用いられる。設定されたタイマー時間は、液晶画面６２に表示される（図３においては、２時間３０分（６２ｅ）が表示された状態が図示されている）。
ブザー７６は、上述したように、暖房機１０が殺菌モードで運転中に、人物検知センサ４２が人物の存在を検知した場合に警報音を発生する。
【００２６】
上述した構成のリモコン２７の操作の一例として、殺菌モードで暖房機１０が運転される場合について説明する。
まず最初に、プラスボタン７３あるいはマイナスボタン７４を何回か押し、液晶画面６２に表示されるタイマー時間６２ｅを確認しながら所望する運転時間（殺菌時間）を設定する。プラスボタン７３とマイナスボタン７４は、１回押される毎にタイマー時間を１０分間ずつ増加、あるいは減少させる。所望のタイマー時間に設定したならば、タイマーボタン７２を押してタイマー時間を決定する。次に左殺菌ボタン６３と右殺菌ボタン６４を同時に押すと、暖房機１０は殺菌モードで運転を開始する。リモコン２７の表面には、左殺菌ボタン６３と右殺菌ボタン６４を同時に押さなければならないことを使用者に喚起する「同時押し」の文字７５が表記されている。
このように、暖房機１０を殺菌モードで運転させるためには、左殺菌ボタン６３と右殺菌ボタン６４を同時に押す手間のかかる操作が必要である。このため、リモコン２７が誤って操作されて、人体に悪影響を与える可能性のあるオゾンが不用意に発生してしまうことが防止される。殺菌モードで暖房機１０が運転されると、時間の進行とともに液晶画面６２に表示されるタイマー時間６２ｅは減少して行き、タイマー時間が経過すると運転が停止される。
【００２７】
なお、タイマー時間を設定せずに暖房機１０を殺菌モードで運転する場合には、タイマーボタン７２でタイマー時間を決定せずに、左殺菌ボタン６３と右殺菌ボタン６４を同時に押す操作を行う。また、タイマー時間が経過する前、あるいはタイマー時間を設定しない状態で運転されている暖房機１０を停止させる場合には、左殺菌ボタン６３または右殺菌ボタン６４を単独で押せば、その運転は停止される。すなわち、容易な操作で暖房機１０の殺菌モード運転を停止させることができる。
【００２８】
（第２実施形態）  本発明の第２実施形態に係る暖房機８０について説明する。なお、第１実施形態と重複する説明は省略し、本第２実施形態として特徴的な部分についてのみを述べる。
本第２実施形態の暖房機８０は、第１実施形態の暖房機１０が備えている人物検知センサ４２に代えて、扉センサ８４を有している。扉センサ８４は、図４に示されているように、浴室１２の壁面１２ｃに固定されている。扉センサ８４は信号線８５を介して暖房機８０のコントローラ３８と結ばれている。扉センサ８４は、伸縮するプランジャ８４ａを有しており、プランジャ８４ａが押し込まれると電気的にオンとなる。プランジャ８４ａは、押し込まれる力が加わらないと伸展し、扉センサ８４はオフになる。そして、扉センサ８４は、図４に示されているように、扉１２ａが閉じられている状態では、プランジャ８４ａが扉外面１２ｂに押し込まれてオンとなる。扉１２ａは、図４の左方向に開放される。扉１２ａが開放されると、扉センサ８４のプランジャ８４ａは伸展し、扉センサ８４はオフとなる。すなわち、扉センサ８４は、扉１２ａが開放されているか、閉止されているかを電気的なオン／オフとして判別し、このオン／オフ信号をコントローラ３８に出力する。
【００２９】
上述した構成の暖房機８０は、殺菌モードで運転中に扉センサ８４が扉１２ａの開放を検知すると、コントローラ３８からの制御信号によってオゾン発生器４４の作動は停止され、同時に換気ファン３６が作動し、リモコン２７のブザー７６が警報音を発する。また、扉センサ８４が扉１２ａの開放を検知している状態で、暖房機８０を殺菌モードで運転しようとしても、暖房機８０は運転を開始しない。このようにして、オゾンが人体に健康上の悪影響を与えることが防止され、オゾンによる殺菌を安全に行うことができる。
【００３０】
以上、本発明の暖房機の好適な実施形態について詳細に説明したが、これは例示に過ぎず、本発明は当業者の知識に基づいて種々の変更、改良を施した形態で実施することができる。
例えば、殺菌モードが誤操作によって開始されてしまうのを防止する手段は、必ずしも上述した第１実施形態に記載したような、２つのボタンの同時押し操作に限られるものではなく、以下の構成のスイッチやボタンによっても実現することができる。
（１）殺菌スイッチは、所定時間継続して操作しないと（例えば、押し続けないと）オンにならず、殺菌運転は開始されない。
（２）殺菌スイッチは、所定時間内に複数回（例えば２秒間に３回）操作されないとオンにならず、殺菌運転は開始されない。
（３）複数の殺菌スイッチを設け、これらの殺菌スイッチを所定の順番で操作しないと殺菌運転が開始されない。
（４）殺菌スイッチにカバーを設け、このカバーを開けないと殺菌スイッチを操作できない構成とする。
（５）殺菌スイッチは、他のスイッチと離れた位置に配置する。このように構成すると、他のスイッチを操作する際に誤って殺菌スイッチを操作してしまうことが防止される。
（６）殺菌スイッチは、他のスイッチと形状と異なった形状とし、操作者に殺菌スイッチの操作であることを喚起する（例えば、殺菌スイッチを他のスイッチよりも大きくしたり、凹凸形状を設けたりする）。
（７）複数の殺菌スイッチを、両手を用いないと操作できない離れた位置に配置する。これらの殺菌スイッチを同時に操作しないと、殺菌モードでの運転が開始されない。
【００３１】
例えば、暖房機が殺菌モードで運転されていることを強く喚起するために、以下のように構成してもよい。
（８）リモコンの画面表示は、殺菌モードで運転されていることの表示を、他のモードのそれよりも、大きく、あるいは明るく、あるいは点滅させ、あるいは太文字とする。
（９）殺菌モードで運転中は、殺菌スイッチを光らせる、あるいは光りを点滅させる。
（１０）殺菌モードで運転中は、音（ブザー音、メロディ、音声 等）を発生させる。
【００３２】
例えば、暖房機は、浴室の電灯がオンにされたことを検知する電灯オン検知手段を備えており、人が浴室に入室している可能性のある電灯がオンにされている状態でオゾン発生器が停止されてもよい。電灯オン検知手段は、電灯スイッチに連動するオン／オフスイッチ等を用いることにより実現できる。
【００３３】
例えば、暖房機は、浴室の明るさを検知する光検知手段を備えており、人が浴室に入室している可能性のある浴室が明るい状態でオゾン発生器が停止されてもよい。光検知手段は、光センサ等を用いることにより実現できる。
【００３４】
例えば、暖房機は、浴室の音を検知する音検知手段を備えており、人が浴室に入室している可能性のある浴室で音が発生している状態でオゾン発生器が停止されてもよい。音検知手段は、マイクロフォン等を用いることにより実現できる。
【００３５】
例えば、暖房機は、浴槽に水が入っていることを検知する浴槽水検知手段を備えており、人が浴室に入室している可能性のある浴槽に水が入っている状態でオゾン発生器が停止されてもよい。浴槽水検知手段は、水圧センサを浴槽内に設ける等により実現できる。
【００３６】
例えば、暖房機は、浴室の温度を検知する温度センサを備えており、暖房機が運転されても浴室の温度上昇が少ないときには、オゾン発生器が停止されてもよい。暖房機運転時に浴室温度の上昇が少ないのは、浴室内に人が入室して浴室の扉が開かれている可能性があるので、上記のように構成することにより、殺菌用のオゾンが人体に悪影響を与えるのを防止できるとともに、浴室からのオゾンの漏れも防止できる。
なお、オゾン発生器が停止された後に浴室の温度が上昇した場合には、扉が閉じられたと判断できるので、再度オゾンを発生させてもよい。
【００３７】
例えば、暖房機は、浴室の温度を検知する温度センサを備えており、暖房機が運転されている状態で浴室の温度が低下した場合には、オゾン発生器が停止されてもよい。暖房機運転中に浴室の温度が低下するのは、浴室内に人が入室して浴室の扉が開かれた可能性があるので、上記のように構成することにより、オゾンが人体に悪影響を与えるのを防止できるとともに、浴室からのオゾンの漏れも防止できる。
なお、オゾン発生器が停止された後に浴室の温度が上昇した場合には、扉が閉じられたと判断できるので、再度オゾンを発生させてもよい。
【図面の簡単な説明】
【図１】第１実施形態の暖房機が浴室に設置されている状態の斜視図
【図２】同、暖房機の内部構成を示す断面図
【図３】同、リモコンの平面図
【図４】第２実施形態の暖房機が浴室に設置されている状態の断面図
【符号の説明】
１０：暖房機
１２：浴室、１２ａ：扉、１２ｂ：扉外面、１２ｃ：壁面
１４：天井
１６：バスタブ
１７：衣類
１８：パイプ
２２：給湯器
２３：供給配管
２４：戻り配管
２５：信号線
２７：リモコン
２８：換気ダクト
２９：信号線
３２：暖房ファン、３２ａ：電動モータ
３４：熱交換器
３６：換気ファン、３６ａ：電動モータ
３８：コントローラ
４２：人物検知センサ
４３：空気吸い込み口、４３ａ：ルーバー
４４：オゾン発生器
４６：空気吹き出し口、４６ａ：ルーバー
４７、４８：空気の流れ方向を示す矢印
５２：信号線
６２：液晶画面、６２ａ：暖房表示、６２ｂ：乾燥表示、６２ｃ：換気表示、６２ｄ：殺菌表示、６２ｅ：タイマー時間表示
６３：左殺菌ボタン
６４：右殺菌ボタン
６６：暖房ボタン
６７：乾燥ボタン
６８：換気ボタン
７２：タイマーボタン
７３：プラスボタン
７４：マイナスボタン
７６：ブザー
８０：暖房機
８４：扉センサ、８４ａ：プランジャ
８５：信号線
【図１】
0003782315.tif 000002
【図２】
0003782315.tif 000003
【図３】
0003782315.tif 000004
【図４】
0003782315.tif 000005